(57)【要約】【課題】  バンド本体の裏面に印字位置決め用の識別マークを予め印刷することなく、ラベルプリンタで決められた表示部に可変情報を印字可能とするリストバンドを提供することを課題とする。【解決手段】  リストバンド１０が帯状のバンド本体１２に切り離し部１４で切り離し可能に区画形成されており、さらに前記バンド本体１２が長手方向に連続形成されているリストバンド連続体２５であって、リストバンド１０にはセット穴１８とバンド穴２０、又、バンド本体１２には印字位置決め穴１７または印字位置決め切り欠き１７Ａを同時に加工することで、決められた印字領域である表示部１０Ａにプリンタで印字可能とする。【選択図】      図１ 
2005133265.tif 000002
【特許請求の範囲】
【請求項１】
表面に印字領域を備えたリストバンドが、帯状のバンド本体に切り離し部で切り離し可能に区画形成されており、さらに前記バンド本体が長手方向に連続形成されているリストバンド連続体であって、前記バンド本体は、印字の位置決めのための穴または切り欠きが設けてあることを特徴とする、リストバンド連続体。
【請求項２】
前記リストバンドは、一方にバンド穴、他方にセット穴を有することを特徴とする、請求項１に記載のリストバンド連続体。
【請求項３】
前記切り離し部は、ミシン目またはハーフカットであることを特徴とする、請求項１または請求項２に記載のリストバンド連続体。
【発明の詳細な説明】
【技術分野】
【０００１】
本発明はリストバンドに係り、特に病院で患者の手首や足首などに環状に巻き付けて使用されるリストバンドおよびその連続体に関する。
【背景技術】
【０００２】
近年、病院では患者の取り違えミスを防止するために、患者の名前や年齢、血液型といった患者固有の識別データを表示したリストバンドを患者の手首や足首に取り付けることが行われている。
【０００３】
このリストバンドは、プリンタによって連続的に発行することができるようにするために、一般に連続的に形成されており、この連続体をロール状に巻き取ってプリンタにセットするか、折畳み状態（ファンフォールド）でプリンタにセットするようにしている。
【０００４】
このようにプリンタを用いて発行するリストバンドは、プリンタへの適合性を考慮して一定幅の帯状に形成されていることが多く、特殊形状のリストバンドの場合は、プリンタでの印字後に所定の形状に切り抜いて使用するようにしている。
【０００５】
一般にリストバンドは帯状に形成されており、これを手首等に巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された止穴を嵌め合わせてリストバンドを環状に巻き止める。
【０００６】
なお、リストバンドには、患者の名前や年齢、血液型といった患者固有の識別データを表示部にプリンタで印字して表示するが、この印字の際、裏面に等間隔に設けられた識別マーク（図示せず）を光学式反射形センサで読み取って前記識別データの印字位置に位置決め可能なように設定されている。
【０００７】
【特許文献１】特開２００２−３６３８０８号公報
【発明の開示】
【発明が解決しようとする課題】
【０００８】
所定間隔を置いて設けられたリストバンドの表示部に印字するプリンタ(図示せず)には、リストバンド連続体の裏面に等間隔に設けられ、黒色に印刷された識別マークを読み取る光学式反射形センサ（反射センサ）とタグに設けた穴位置を検出する光学式透過形センサ（透過センサ）が備わっているが、反射センサを使用して印字位置を読み取るには、バンド本体表面の固定情報の印刷の他に、裏面には予め識別マークを印刷する必要が有り、印刷工程が必要であった。
【０００９】
本発明は、このような問題に鑑みてなされたもので、バンド本体に印字位置検知用の印字位置決め穴を設けて、透過センサを利用してのプリンタによる印字が可能なリストバンド連続体を提供することを目的とする。
【課題を解決するための手段】
【００１０】
上記課題を達成するために、請求項１に係る発明は、表面に印字領域を備えたリストバンドが、帯状のバンド本体に切り離し部で切り離し可能に区画形成されており、さらに前記バンド本体が長手方向に連続形成されているリストバンド連続体であって、前記バンド本体は、印字の位置決めのための穴または切り欠きが設けてあることを特徴とする、リストバンド連続体を提供するものである。
【００１１】
請求項２の発明は、前記リストバンドの一方にバンド穴、他方にセット穴を有するものである。
【００１２】
請求項３の発明は、前記切り離し部がミシン目またはハーフカットであるものである。
【００１３】
本発明によれば、リストバンド表面の表示部にプリンタで印字するための印字位置決めとなる認識マークをリストバンド連続体の裏面に予め印刷する必要が無く、リストバンドのセット穴、バンド穴の加工と同時にバンド本体に印字位置決め穴を設けることで所定領域に印字可能となる。
【発明の効果】
【００１４】
本発明によれば、リストバンドをクリップで環状に巻き止めるためのセット穴およびバンド穴の加工と同時に、リストバンドの表示部にプリンタで印字するための透過センサを使用する印字位置決め穴を設けることが可能であり、反射センサを使用する認識マークの印刷をバンド本体の裏面に印刷する必要が無くなり、印刷工程の低減が図られことから、リストバンドのコストの低減に繋がるという効果を奏する。
【発明を実施するための最良の形態】
【００１５】
以下、添付図面に従って本発明に係るリストバンドの好ましい実施の形態について説明する。
【００１６】
図１は、本発明に係るリストバンド連続体の第一の実施の形態について、その構成を示す平面図である。
【００１７】
図１に示すように、第一の実施の形態のリストバンド連続体２５にはバンド本体１２が長手方向に沿って連続形成されており、各バンド本体１２の境界には切断用の切り離し部１６が形成されている。又、このバンド本体１２にはリストバンド１０が切り離し部１４により切り離し可能に型抜き形成されている。このリストバンド１０は管理に必要な各種情報を表示するための幅広に形成された表示部１０Ａを設けており、且つ、長手方向の一方にはバンド止め部１０Ｂ、他方にはバンド部１０Ｃとで構成されている。
【００１８】
バンド止め部１０Ｂは、バンド部１０Ｃよりも短く形成されており、その先端部近傍にセット穴１８が形成され、バンド部１０Ｃは、バンド止め部１０Ｂと同じ幅で形成されており、その中央部にバンド穴２０、 ２０、 …が一定の間隔をもって形成されている。
【００１９】
ところで、上記のようにリストバンド１０は、バンド本体１２に切り離し部１４で型抜きして形成されるが、バンド止め部１０Ｂ側の端部１４Ｂは、ミシン目またはハーフカットではなく完全に貫通した状態で型抜きされている。これはリストバンド１０をバンド本体１２から抜き取りやすくするためであり、ユーザーは、この貫通して型抜きされた端部１４Ｂを引っ張り上げるだけで、簡単にリストバンド１０をバンド本体１２から切り離し部１４に沿って抜き取ることができる。
【００２０】
一方、バンド部１０Ｃ側の端部１４Ｃは、１点を残して貫通して型抜きされている。これにより、抜き終わりにおいて、破けたりすることなく、容易にリストバンド１０をバンド本体１２から抜き去ることができる。
【００２１】
図４は、リストバンド１０を係止するためのクリップ３０の構成を示す斜視図である。同図に示すように、クリップ３０は、オスクリップ３２とメスクリップ３４とで構成されており、互いに連結部３６を介して一体成形されている。
【００２２】
オスクリップ３２は、円形状に形成されており、その上面中央部に円柱状の突起３８が垂直に立設されている。突起３８は、先端部に円錐台形状の係止部３８Ａを有している。
【００２３】
メスクリップ３４は、円形状に形成されており、その中央部に係止穴４０を有している。この係止穴４０は、オスクリップ３２に形成された突起３８とほぼ同径に形成されている。
【００２４】
このクリップ３０は、プラスチック等の合成樹脂で成形されており、オスクリップ３２とメスクリップ３４とを連結する連結部３６は屈曲自在に形成されている。
【００２５】
使用時は、オスクリップ３２の突起３８を一方のバンド止め部１０Ｂに形成されたセット穴１８に挿入し、リストバンド１０を手首等に巻き付ける。そして、手首等の太さに合わせて他方側のバンド部１０Ｃのバンド穴２０、２０、…を一つ選択し、オスクリップ３２の突起３８に挿入する。その後、連結部３６を屈曲させてメスクリップ３４に形成された係止穴４０を突起３８に嵌め込む。この際、突起３８は、先端の係止部３８Ａが弾性変形しながら、係止穴４０内を通過し、通過後、拡径して係止穴４０の上縁と係合する。オスクリップ３２とメスクリップ３４とが結合され、取り外し不能な状態で一体化される。
【００２６】
前記のごとく構成された第一の実施の形態のリストバンド連続体２５の作用は、次のとおりである。
【００２７】
連続して形成されたバンド本体１２、１２、…のリストバンド連続体２５は、ロール状に巻回されてプリンタにセットされる。そして、そのプリンタで表示部１０Ａの表面に所定の情報が印字される。たとえば、図３に示すように、表示部１０Ａに患者名や血液型、科名、病棟名等を印字し、これに加えて患者固有の情報をコード化した二次元コードやバーコードなどを印字する。
【００２８】
なお、印字は熱転写インク、ダイレクトサーマル、インクジェットなどの方式のプリンタを用いて行うが、プリンタの搬送路には発光素子と受光素子とが上下に配置された透過センサが備わっており、この透過センサをバンド本体１２に設けた印字位置決め穴１７に合せて印字することで、印字指定範囲である表示部１０Ａに所定の情報が印字可能となる。
【００２９】
すなわち、リストバンド連続体２５がプリンタの搬送路に設けた透過センサの発光素子と受光素子の間を搬送し、バンド本体１２に設けた印字位置決め穴１７が透過センサを通過するときに、発光素子から発せられた光が印字位置決め穴１７を通過して受光素子が検知することで、印字位置に位置決め可能なように設定されている。
【００３０】
所望の情報が印字されたバンド本体１２は、プリンタ（図示せず）の排出口から排出されるので、この印字を終えたバンド本体１２を後続するバンド本体１２から切り離す。この際、バンド本体１２は、バンド本体同士の連結部分に切り離し部１６が形成されているので、この切り離し部１６を利用することにより、手で容易に切り離すことができる。
【００３１】
リストバンド連続体２５から分離したバンド本体１２は、図３に示すように、リストバンド１０の部分を切り離し部１４に沿って切り抜く。この際、リストバンド１０は、バンド止め部１０Ｂ側の端部１４Ｂが完全に貫通してバンド本体１２に型抜きされているので、この貫通して型抜きされた端部１４Ｂをバンド本体１２から捲り上げて、そのまま引っ張り上げることにより、容易にバンド本体１２から切り離すことができる。また、切り離し端である、リストバンド１０の端部１４Ｃが、一点を残して貫通した状態で型抜きされているので、抜き終わりにおいて、リストバンド１０をバンド本体１２から容易に切り離すことができる
【００３２】
バンド本体１２から抜き取ったリストバンド１０は、まず、一方のバンド止め部１０Ｂに形成されたセット穴１８にオスクリップ３２の突起３８を嵌め込む。次いで、リストバンド１０を手首に巻き付ける。そして、手首等の太さに合わせて他方側のバンド部１０Ｃのバンド穴２０、２０、…を一つ選択し、オスクリップ３２の突起３８に挿入する。その後、連結部３６を屈曲させてメスクリップ３４に形成された係止穴４０を突起３８に嵌め込み、余り部分はハサミなどで切断する。これにより、装着が完了する。
【００３３】
図２は、本発明に係るリストバンド連続体の第二の実施の形態について、その構成を示す平面図である。
【００３４】
図２に示すように、第二の実施の形態のリストバンド連続体２５には、第一の実施の形態で説明した印字位置決め穴１７の代わりとして、印字位置決めのための切り欠き１７Ａを設け、発光素子から発せられた光が切り欠き１７Ａを通過して受光素子が検知することで、表示部１０Ａに所定の情報が印字可能となる。
【００３５】
上記の印字位置決め穴１７および切り欠き１７Ａはバンド穴２０やセット穴１８の加工と同時に設けることが可能であり、リストバンド連続体２５の裏面に認識マークを印刷する必要が無くなる。但し、認識マークを併設して、透過センサまたは反射センサを選択にて使用することも可能である。
【００３６】
なお、本発明が上記実施の形態に限定されず、本発明の技術思想の範囲内において、実施の形態は適宜変更され得ることは明らかである。また、上記構成部材の数、位置、形状等は上記実施の形態に限定されず、本発明を実施する上で好適な数、位置、形状等にすることができる。
【００３７】
また、本実施の形態では本発明を病院等で患者識別のために使用されるリストバンドに適用した例で説明したが、本発明の適用は、これに限定されるものではなく、遊園地等のアミューズメント施設で入場チケット等として使用されるリストバンドやスキー場等でリフト券等として使用されるリストバンドなど、あらゆる用途のリストバンド連続体に適用することができる。
【図面の簡単な説明】
【００３８】
【図１】本発明に係るリストバンド連続体の第一の実施の形態について、その構成の概略を示す平面図
【図２】本発明に係るリストバンド連続体の第二の実施の形態について、その構成の概略を示す平面図
【図３】リストバンドの構成を示す斜視図
【図４】クリップの構成を示す斜視図
【符号の説明】
【００３９】
１０…リストバンド、１０Ａ…表示部、１０Ｂ…バンド止め部、１０Ｃ…バンド部、１２…バンド本体、１４、１６…切り離し部、１４Ｂ…バンド止め部の端部、１４Ｃ…バンド部の端部、１７…印字位置決め穴、１７Ａ…印字位置決め切り欠き、１８…セット穴、２０…バンド穴、２５…リストバンド連続体
【図１】
2005133265.tif 000003
【図２】
2005133265.tif 000004
【図３】
2005133265.tif 000005
【図４】
2005133265.tif 000006